(57)【要約】  本発明は、送信ビーム情報を取得する方法と装置、および送信ビーム情報をフィードバックする方法と装置を開示する。本発明では、基地局は、ダウンリンク送信ビームを使用して端末に参照信号および参照信号集合のグルーピングの関連情報を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末は、受信品質に従って受信した参照信号からＱ個の参照信号、および参照信号集合のグルーピングの関連情報をを選択し、ダウンリンク送信ビームの組み合わせを選択して基地局に報告し、基地局は、推奨により、データを端末に送信するためのダウンリンク送信ビームを決定する。このようにして、端末および基地局はより正確な的ビーム組み合わせ情報を取得してマルチビーム送信をサポートすることができる。【選択図】図４
2020516189.tif 000002
【特許請求の範囲】
【請求項１】
基地局は、ダウンリンク送信ビームを使用して、端末に参照信号を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、
基地局は、端末に参照信号集合のグルーピングの関連情報を送信し、
基地局は、端末によって報告されたダウンリンク送信ビームの組み合わせを受信し、
基地局は、前記ダウンリンク送信ビームの組み合わせに従って、データを端末に送信するためのダウンリンク送信ビームを決定することを特徴とする送信ビーム情報を取得する方法。
【請求項２】
基地局が異なるビームグループのダウンリンク送信ビームを使用して端末に参照信号を同時に送信する場合、
同じ送受信ポイント（ＴＲＰ）から送信されるダウンリンク送信ビームが１つのビームグループであり、または、
同じトランシーバから送信されるダウンリンク送信ビームが１つのビームグループであることを特徴とする請求項１に記載の送信ビーム情報を取得する方法。
【請求項３】
前記基地局は、ダウンリンク送信ビームを使用して、端末に参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信することを特徴とする請求項１に記載の送信ビーム情報を取得する方法。
【請求項４】
前記基地局が、端末に参照信号集合のグルーピングの関連情報を送信する場合、
基地局が端末のためにＨ個の参照信号リソース集合を設定し、前記Ｈ個の参照信号リソース集合内のｈ番目の参照信号リソース集合にＮh個の参照信号リソースが含まれば、一つの参照信号リソースのすべての送信機会のすべてのポートが１つのビームの参照信号の送信に用いられるときに、基地局は、参照信号リソース集合の設定情報を通知することにより、前記端末に参照信号集合グルーピングの設定情報を通知し、Ｈ及びｈは両方とも１以上の整数であり、ｈ＜＝Ｈであい、または、
基地局が端末のためにＦ個の参照信号リソース集合を設定し、前記Ｆ個の参照信号リソース集合内のｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、基地局は、参照信号リソース集合設定情報およびアンテナポートを通知することにより、前記端末に、参照信号集合グルーピングの設定情報を通知し、Ｆおよびｆは１以上の整数であり、ｆ＜＝Ｆであることを特徴とする請求項１に記載の送信ビーム情報を取得する方法。
【請求項５】
前記基地局が受信した前記ダウンリンク送信ビームの組み合わせは、端末によって選択されたＱ個の参照信号の識別情報および各参照信号の所属の参照信号グループ関連情報であり、Ｑは１以上の整数であることを特徴とする請求項１に記載の送信ビーム情報を取得する方法。
【請求項６】
前記基地局は、端末によって送信された参照信号のグルーピング情報を受信し、
前記基地局は、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせであることを特徴とする請求項１に記載の送信ビーム情報を取得する方法。
【請求項７】
前記基地局は、端末によって報告された参照信号グループの全体的な受信品質を受信することを特徴とする請求項１から請求項６のいずれか一項に記載の送信ビーム情報を取得する方法。
【請求項８】
端末は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする前記受信し、
前記端末は、受信品質に従って受信した参照信号からＱ個の参照信号を選択し、各参照信号の受信ビームを決定し、
前記端末は、前記基地局によって送信された参照信号集合のグルーピングの関連情報を受信し、参照信号集合のグルーピングの関連情報に従って、前記ダウンリンク送信ビームの組み合わせを選択して前記基地局に報告し、
前記Ｑは１以上の整数であることを特徴とする送信ビーム情報をフィードバックする方法。
【請求項９】
受信ビームごとに１グループのビームフォーミング重みに対応し、
前記各参照信号の受信ビームを決定する場合、
一つの参照信号については、前記端末は、受信ビームをそれぞれ使用して前記１つの参照信号受信し、受信信号電力最大の受信ビームを前記参照信号の受信ビームとして選択することを特徴とする請求項８に記載の送信ビーム情報をフィードバックする方法。
【請求項１０】
前記ダウンリンク送信ビームの組み合わせ内の異なるビームの参照信号は、異なる参照信号集合に属することを特徴とする請求項８に記載の送信ビーム情報をフィードバックする方法。
【請求項１１】
前記Ｑ個の参照信号を選択し、各参照信号の受信ビームを決定する場合、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせであり、Ｑは１以上の整数であることを特徴とする請求項８に記載の送信ビーム情報をフィードバックする方法。
【請求項１２】
前記基地局に報告する場合、
前記端末は、選択したＱ個の参照信号の識別情報および各参照信号の所属の参照信号グループ関連情報を前記基地局に報告し、Ｑは１以上の整数であることを特徴とする請求項８に記載の送信ビーム情報をフィードバックする方法。
【請求項１３】
前記端末は、基地局に参照信号グループの全体的な受信品質を報告することを特徴とする請求項８から請求項１２のいずれか一項に記載の送信ビーム情報をフィードバックする方法。
【請求項１４】
ダウンリンク送信ビームを使用して端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末に参照信号集合のグルーピングの関連情報を送信するための、参照信号送信モジュールと、
端末によって報告された前記ダウンリンク送信ビームの組み合わせを受信するための、報告受信モジュールと、
前記ダウンリンク送信ビームの組み合わせに従って、データを端末に送信するためのダウンリンク送信ビームを決定するための、ビーム決定モジュールと、を備えることを特徴とする送信ビーム情報を取得する装置。
【請求項１５】
参照信号送信モジュールは、さらに、異なるビームグループのダウンリンク送信ビームを使用して端末に参照信号を同時に送信する場合、
同じ送受信ポイント（ＴＲＰ）から送信されるダウンリンク送信ビームが１つのビームグループであり、または、
同じトランシーバから送信されるダウンリンク送信ビームが１つのビームグループであることを特徴とする請求項１４に記載の送信ビーム情報を取得する装置。
【請求項１６】
前記参照信号送信モジュールは、さらに、ダウンリンク送信ビームごとに一つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信することを特徴とする請求項１４に記載の送信ビーム情報を取得する装置。
【請求項１７】
前記参照信号送信モジュールは、さらに、
端末にＨ個の参照信号リソース集合を設定し、前記Ｈ個の参照信号リソース集合内のｈ番目の参照信号リソース集合にＮh個の参照信号リソースが含まれば、一つの参照信号リソースのすべての送信機会のすべてのポートが１つのビームの参照信号の送信に用いられるときに、参照信号リソース集合の設定情報を通知することにより、前記端末に参照信号集合グルーピングの設定情報を通知し、Ｈ及びｈは両方とも１以上の整数であり、ｈ＜＝Ｈであり、または、
端末にＦ個の参照信号リソース集合を設定し、前記Ｆ個の参照信号リソース集合内のｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、参照信号リソース集合設定情報およびアンテナポートを通知することにより、前記端末に参照信号集合グルーピングの設定情報を通知し、Ｆおよびｆは１以上の整数であり、ｆ＜＝Ｆであることを特徴とする請求項１４に記載の送信ビーム情報を取得する装置。
【請求項１８】
前記報告受信モジュールが受信したのは、端末により選択されたＱ個の参照信号の識別情報および各参照信号の所属の参照信号グループ関連情報であり、Ｑは１以上の整数であることを特徴とする請求項１４に記載の送信ビーム情報を取得する装置。
【請求項１９】
前記ビーム決定モジュールは、さらに、端末によって送信された参照信号のグルーピング情報を受信するときに、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせであることを特徴とする請求項１４に記載の送信ビーム情報を取得する装置。
【請求項２０】
前記報告受信モジュールは、さらに、端末によって報告された参照信号グループの全体的な受信品質を受信することを特徴とする請求項１４から請求項１９のいずれか一項に記載の送信ビーム情報を取得する装置。
【請求項２１】
基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、基地局が端末に送信した参照信号集合のグルーピングの関連情報を受信するための、受信モジュールと、
受信品質に従って受信した参照信号からＱ個の参照信号を選択し、各参照信号の受信ビームを決定し、Ｑは１以上の整数である決定モジュールと、
参照信号集合のグルーピングの関連情報に従って、前記ダウンリンク送信ビームの組み合わせを選択して前記基地局に報告するための、報告モジュールと、を備えることを特徴とする送信ビーム情報をフィードバックする装置。
【請求項２２】
受信ビームごとに１グループのビームフォーミング重みに対応し、
前記決定モジュールは、一つの参照信号については、各受信ビームをそれぞれ使用して前記一つの参照信号を受信し、受信信号電力最大の受信ビームを前記参照信号の受信ビームとして選択することを特徴とする請求項２１に記載の送信ビーム情報をフィードバックする装置。
【請求項２３】
前記ダウンリンク送信ビームの組み合わせ内の異なるビームの参照信号は、異なる参照信号集合に属することを特徴とする請求項２１に記載の送信ビーム情報をフィードバックする装置。
【請求項２４】
前記報告モジュールは、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせであり、Ｑは１以上の整数であることを特徴とする請求項２１に記載の送信ビーム情報をフィードバックする装置。
【請求項２５】
前記報告モジュールは、
端末によって選択されたＱ個の参照信号の識別情報および各参照信号の所属の参照信号グループ関連情報を前記基地局に報告し、Ｑは１以上の整数であることを特徴とする請求項２１に記載の送信ビーム情報をフィードバックする装置。
【請求項２６】
前記報告モジュールは、
基地局に参照信号グループの全体的な受信品質を報告することを特徴とする請求項２１から請求項２５のいずれか一項に記載の送信ビーム情報をフィードバックする装置。
【請求項２７】
プロセッサと、送受信機と、メモリとを備え、
前記プロセッサは、メモリ内のプログラムを読み取って実行するように構成され、
前記プロセッサは、ダウンリンク送信ビームを使用して前記送受信機により端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、前記送受信機により、端末に参照信号集合のグルーピングの関連情報を送信し、前記送受信機により、端末によって報告されたダウンリンク送信ビームの組み合わせを受信し、および、前記ダウンリンク送信ビームの組み合わせに従って、データを端末に送信するためのダウンリンク送信ビームを決定し、
前記送受信機は、前記プロセッサの制御下でデータを送受信するように構成されることを特徴とする基地局。
【請求項２８】
前記プロセッサが異なるビームグループのダウンリンク送信ビームを使用して、前記送受信機により、端末に参照信号を同時に送信する場合、
同じ送受信ポイント（ＴＲＰ）から送信されるダウンリンク送信ビームが１つのビームグループであり、または、
同じトランシーバから送信されるダウンリンク送信ビームが１つのビームグループであることを特徴とする請求項２７に記載の基地局。
【請求項２９】
前記プロセッサは、
ダウンリンク送信ビームを使用して端末に参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信することを特徴とする請求項２７に記載の基地局。
【請求項３０】
前記プロセッサは、
前記送受信機により、端末に参照信号集合のグルーピングの関連情報を送信する場合、
端末にＨ個の参照信号リソース集合を設定し、前記Ｈ個の参照信号リソース集合内のｈ番目の参照信号リソース集合にＮh個の参照信号リソースが含まれば、一つの参照信号リソースのすべての送信機会のすべてのポートが１つのビームの参照信号の送信に用いられるときに、基地局は、参照信号リソース集合の設定情報を通知することにより、前記端末に参照信号集合グルーピングの設定情報を通知し、Ｈ及びｈは両方とも１以上の整数であり、ｈ＜＝Ｈであり、または、
端末にＦ個の参照信号リソース集合を設定し、前記Ｆ個の参照信号リソース集合内のｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、基地局は、参照信号リソース集合設定情報およびアンテナポートを通知することにより、前記端末に、参照信号集合グルーピングの設定情報を通知し、Ｆおよびｆは１以上の整数であり、ｆ＜＝Ｆであることを特徴とする請求項２７に記載の基地局。
【請求項３１】
前記受信した前記ダウンリンク送信ビームの組み合わせは、端末によって選択されたＱ個の参照信号の識別情報および各参照信号の所属の参照信号グループ関連情報であり、Ｑは１以上の整数であることを特徴とする請求項２７に記載の基地局。
【請求項３２】
前記プロセッサは、前記送受信機により、端末によって送信された参照信号のグルーピング情報を受信し、
前記プロセッサは、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせであることを特徴とする請求項２７に記載の基地局。
【請求項３３】
前記プロセッサは、
前記送受信機により、端末によって報告された参照信号グループの全体的な受信品質を受信することを特徴とする請求項２７から請求項３２のいずれか一項に記載の基地局。
【請求項３４】
プロセッサと、送受信機と、メモリとを備え、
前記プロセッサは、メモリ内のプログラムを読み取って実行するように構成され、
前記プロセッサは、前記送受信機基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、受信品質に従って受信した参照信号からＱ個の参照信号を選択し、各参照信号の受信ビームを決定しＱは１以上の整数であり、および、前記送受信機により前記基地局が送信した参照信号集合のグルーピングの関連情報を受信し、参照信号集合のグルーピングの関連情報に従って、前記ダウンリンク送信ビームの組み合わせを選択して前記基地局に報告し、
前記送受信機は、前記プロセッサの制御下でデータを送受信するように構成されることを特徴とする端末。
【請求項３５】
受信ビームごとに１グループのビームフォーミング重みに対応し、
前記プロセッサは、一つの参照信号については、各受信ビームをそれぞれ使用して前記一つの参照信号を受信し、受信信号電力最大の受信ビームを前記参照信号の受信ビームとして選択することを特徴とする請求項３４に記載の端末。
【請求項３６】
前記ダウンリンク送信ビームの組み合わせ内の異なるビームの参照信号は、異なる参照信号集合に属することを特徴とする請求項３４に記載の端末。
【請求項３７】
前記プロセッサは、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせであり、Ｑは１以上の整数であることを特徴とする請求項３４に記載の端末。
【請求項３８】
前記プロセッサは、前記送受信機により、選択したＱ個の参照信号の識別情報および各参照信号の所属の参照信号グループ関連情報を前記基地局に報告し、Ｑは１以上の整数であることを特徴とする請求項３４に記載の端末。
【請求項３９】
前記プロセッサは、
前記送受信機により基地局に参照信号グループの全体的な受信品質を報告することを特徴とする請求項３４から請求項３８のいずれか一項に記載の端末。
【請求項４０】
請求項１から請求項７のいずれか一項に記載の方法をコンピュータに実行させるように構成されたコンピュータ実行可能命令を格納するコンピュータ可読記憶媒体。
【請求項４１】
請求項８から請求項１３のいずれか一項に記載の方法をコンピュータに実行させるように構成されたコンピュータ実行可能命令を記憶するコンピュータ可読記憶媒体。
【発明の詳細な説明】
【技術分野】
【０００１】
本発明は、無線通信技術分野に関し、特に送信ビーム情報を取得する方法と装置、および送信ビーム情報をフィードバックする方法と装置に関する。
【０００２】
［関連出願の相互参照］
本出願は、２０１７年３月３１日に中国特許局に提出し、出願番号が２０１７１０２１０７０８.３であり、発明名称が「送信ビーム情報を取得する方法と装置、および送信ビーム情報をフィードバックする方法と装置」との中国特許出願を基礎とする優先権を主張し、その開示の総てをここに取り込む。
【背景技術】
【０００３】
ピークレートの改善、およびシステムスペクトルの利用率の改善に対する多入力多出力（Ｍｕｌｔｉｐｌｅ Ｉｎｐｕｔ Ｍｕｌｔｉｐｌｅ Ｏｕｔｐｕｔ，ＭＩＭＯ）技術の重要性を考慮すると、すべてのロングタームエボリューション（ＬＴＥ）、ＬＴＥ -高度な（ＬＴＥ−Ａｄｖａｎｃｅｄ，ＬＴＥ−Ａ）などの無線アクセス技術は、ＭＩＭＯと直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）技術に基づいて構築されている。ＭＩＭＯ技術のパフォーマンス向上は、マルチアンテナシステムで利用できるスペースの自由度に起因するため、標準化されているＭＩＭＯ技術の最も重要な進化の方向としては、拡張された次元である。
【０００４】
ＬＴＥ Ｒｅｌ−８では、最大４層のＭＩＭＯ伝送をサポートすることができる。Ｒｅｌ−９は、強化されたＭＵ−ＭＩＭＯ（Ｍｕｌｔｉ−Ｕｓｅｒ ＭＩＭＯ，マルチユーザーＭＩＭＯ）技術に重点を置いており、ＴＭ（Ｔｒａｎｓｍｉｓｓｉｏｎ Ｍｏｄｅ，伝送モード）-８のＭＵ−ＭＩＭＯ伝送で最大４つのダウンリンクデータ層をサポートできる。Ｒｅｌ−１０では、８つのアンテナポートのサポートが導入され、チャネル状態情報の空間分解能力がさらに向上し、ＳＵ−ＭＩＭＯ（Ｓｉｎｇｌｅ−Ｕｓｅｒ ＭＩＭＯ，シングルユーザーＭＩＭＯ）の伝送容量を最大８つのデータ層に拡張した。Ｒｅｌ−１３およびＲｅｌ−１４では、３２のポートをサポートするＦＤ−ＭＩＭＯ（Ｆｕｌｌ ｄｉｍｅｎｓｉｏｎ ＭＩＭＯ，フルディメンションＭＩＭＯ）技術が導入されており、これによりフルディメンションと垂直ビームフォーミングを実現している。
【０００５】
ＭＩＭＯ技術をさらに改善するために、アンテナ技術の膨大なアレイが移動通信システムに導入されている。基地局の場合、アンテナの完全デジタルの大規模アレイには、１２８、２５６、または５１２個のアンテナ素子と、１２８、２５６、５１２個のトランシーバを含めることができる。各アンテナ素子がトランシーバの１つに接続されている。端末がチャネル状態情報を測定してフィードバックするように、１２８、２５６または５１２アンテナポートのパイロット信号が送信される。端末の場合、３２個または６４個のアンテナ素子を含むアンテナのアレイで構成することもできる。基地局側と端末側の両方でビームフォーミングが行われるため、ビームフォーミングの大幅なゲインが取得され、パス損失から生じる信号減衰を補償する。特に高周波数帯域、たとえば周波数３０ ＧHzでの通信中のパス路損失のため、無線信号のカバレッジエリアは非常に限られている。無線信号のカバレッジエリアは、アンテナ技術の膨大なアレイを使用して実用的なエリアに拡張できる。
【０００６】
アンテナの全デジタルアレイ内の各アンテナ素子は、別個のトランシーバを含むため、デバイスのサイズ、コスト、および電力消費が大幅に増加する可能性がある。特に、トランシーバのＡＤＣ（Ａｎａｌｏｇ−Ｄｉｇｉｔａｌ Ｃｏｎｖｅｒｔｅｒ，アナログ−デジタルコンバーター）及びＤＡＣ（Ｄｉｇｉｔａｌ Ａｎａｌｏｇ Ｃｏｎｖｅｒｔｅｒ，デジタル-アナログコンバーター）の場合、消費電力は約１/１０低下しただけで、性能の向上も限られている。デバイスのサイズ、コスト、および電力消費を低減するために、図１および図２に示すように、アナログビームフォーミングに基づく技術的解決が提案されている。図１は、中間周波数での信号の重み付けビームフォーミングのためのアナログビームフォーミングの概略図である。図２は、無線周波数信号での重み付けビームフォーミングのためのアナログビームフォーミングの概略図である。アナログビームフォーミングの一般的な特性は、位相シフターの中間周波数（図１）または無線周波数信号での重み付けビームフォーミングであり、その利点は、すべての送信（受信）アンテナに共通のトランシーバが１つしかないことであり、デバイスの構造がシンプルになり、サイズ、コスト、消費電力を削減できる。
【０００７】
アナログビームフォーミングの性能をさらに改善するために、図３に示すように、ハイブリッドデジタルおよびビームフォーミング（ハイブリッドデジタルアナログビームフォーミング）を備えたトランシーバのアーキテクチャ解決策が提案されている。図３は、ハイブリッドデジタルアナログビームフォーミングの概略図であり、図３に示すように、送信端と受信端それぞれに、ＮＲＦＴおよびＮＲＦＲ個のトランシーバがあり、送信端のアンテナ素子数はＮＴ＞ＮＲＦＴであり、受信端アンテナ素子数はＮＲ＞ＮＲＦＲである。ビームフォーミングでサポートされる同時送信ストリームの最大数はである。図３に示すように、デジタルビームフォーミングの送信ストリーム数はｍｉｎ（ＮＲＦＴ，ＮＲＦＲ）である。
【０００８】
図３のハイブリッドビームフォーミング構造は、デジタルビームフォーミングの柔軟性と、アナログビームフォーミングの低複雑さの間に、バランスを取ることができ、複数のデータストリームと複数のユーザーの同時フォーミングをサポートでき、また、複雑さは合理的な範囲で制御できる。
【０００９】
送信端および受信端のアナログビームフォーミング重みは、結果として生じるビームが反対の通信端に向けられるように、アナログビーム形成およびハイブリッドデジタルアナログビームフォーミングの両方に対して調整されるものとする。ダウンリンク伝送の場合、基地局側による送信のビームフォーミング重みと、端末側による受信ビームフォーミング重みを調整する必要がある。アップリンク伝送の場合、端末側による送信のビームフォーミング重みと基地局側による受信ビームフォーミング重みを調整する必要がある。ビームフォーミングの重みは、通常、トレーニング信号を送信することによって取得される。ダウンリンク方法では、基地局は、ダウンリンクビームトレーニング信号を送信し、端末は、ダウンリンクビームトレーニング信号を測定し、基地局の最適な送信ビームを選択し、ビームに関する情報を基地局にフィードバッし、対応する最適なビームも選択し、ビームを受信してローカルに格納する。
【００１０】
従来技術の欠点は、現在フィードバックされているビームに関する情報が正確でない可能性があることにある。
【発明の概要】
【発明が解決しようとする課題】
【００１１】
本発明の実施形態は、端末と基地局がビームの組み合わせ情報がより正確に取得でき、マルチビーム伝送をより適切にサポートできるように、ビーム情報の決定および報告に対処するために、送信ビーム情報を取得する方法と装置、および送信ビーム情報をフィードバックする方法と装置を提供する。
【課題を解決するための手段】
【００１２】
第１の態様によれば、本発明の実施形態による送信ビーム情報を取得する方法は、 
基地局は、ダウンリンク送信ビームを使用して、端末に参照信号を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とするステップと、基地局は、端末に参照信号集合のグルーピングの関連情報を送信するステップと、基地局は、端末によって報告された前記ダウンリンク送信ビームの組み合わせを受信するステップと、基地局は、前記ダウンリンク送信ビームの組み合わせに従って、データを端末に送信するためのダウンリンク送信ビームを決定するステップとを備える。
【００１３】
実施において、基地局が異なるビームグループのダウンリンク送信ビームを使用して端末に参照信号を同時に送信する場合、
同じＴＲＰからのダウンリンク送信ビームが１つのビームグループであり、または、同じトランシーバから送信されるダウンリンク送信ビームが１つのビームグループである。
【００１４】
実施において、基地局は、ダウンリンク送信ビームごとに１つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信する。
【００１５】
実施において、基地局が端末のためにＨ個の参照信号リソース集合を設定し、前記Ｈ個の参照信号リソース集合内のｈ番目の参照信号リソース集合にＮh個の参照信号リソースが含まれば、一つの参照信号リソースのすべての送信機会のすべてのポートが１つのビームの参照信号の送信に用いられるときに、基地局は、参照信号リソース集合の設定情報を通知することにより、端末に、参照信号集合グルーピングの設定情報を通知する。
【００１６】
基地局が端末のためにＦ個の参照信号リソース集合を設定し、前記Ｆ個の参照信号リソース集合内のｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、基地局は、参照信号リソース集合設定情報およびアンテナポートを通知することにより、端末に参照信号集合グルーピングの設定情報を通知する。
【００１７】
実施において、基地局が、端末によって報告された前記ダウンリンク送信ビームの組み合わせを受信する場合、受信したのは、端末によって選択されたＱ個の参照信号の識別情報および各参照信号の所属の参照信号グループ関連情報である。
【００１８】
実施において、基地局は、端末によって送信された参照信号のグルーピング情報を受信し、
基地局は、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせである。
【００１９】
実施において、端末によって報告された参照信号グループの全体的な受信品質を受信する。
【００２０】
第２の態様によれば、本発明の実施形態による送信ビーム情報をフィードバックする方法は、
基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末は、受信品質に従って受信した参照信号からＱ個の参照信号を選択し、各参照信号の受信ビームを決定するステップと、端末は、基地局が端末に送信した参照信号集合のグルーピングの関連情報を受信し、端末は、参照信号集合のグルーピングの関連情報に従って、前記ダウンリンク送信ビームの組み合わせを選択して基地局に報告するステップとを備える。
【００２１】
実施において、各参照信号の受信ビームを決定する場合、端末に合計でＮＲＵＥ個の受信ビームを有し、受信ビームごとに１グループのビームフォーミング重みに対応し、一つの参照信号については、端末は、受信ビームをそれぞれ使用して前記１つの参照信号受信し、受信信号電力最大の受信ビームを前記参照信号の受信ビームとして選択する。
【００２２】
実施において、前記ダウンリンク送信ビームの組み合わせ内の異なるビームの参照信号は、異なる参照信号集合に属する。
【００２３】
実施において、前記ダウンリンク送信ビームの組み合わせを選択する場合、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせである。
【００２４】
実施において、前記ダウンリンク送信ビームの組み合わせを選択して基地局に報告するときに、報告したのは、端末によって選択されたＱ個の参照信号の識別情報および各参照信号の所属の参照信号グループ関連情報である。
【００２５】
実施において、基地局に参照信号グループの全体的な受信品質を報告する。
【００２６】
第３の態様によれば、本発明の実施形態による送信ビーム情報を取得する装置は、
ダウンリンク送信ビームを使用して端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末に参照信号集合のグルーピングの関連情報を送信するための、参照信号送信モジュールと、端末によって報告された前記ダウンリンク送信ビームの組み合わせを受信するための、報告受信モジュールと、前記ダウンリンク送信ビームの組み合わせに従って、データを端末に送信するためのダウンリンク送信ビームを決定するための、ビーム決定モジュールと、を備える。
【００２７】
実施において、参照信号送信モジュールは、異なるビームグループのダウンリンク送信ビームを使用して端末に参照信号を同時に送信する場合、同じＴＲＰからのダウンリンク送信ビームが１つのビームグループであり、または、
同じトランシーバから送信されるダウンリンク送信ビームが１つのビームグループである。
【００２８】
実施において、参照信号送信モジュールは、ダウンリンク送信ビームごとに一つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信する。
【００２９】
実施において、参照信号送信モジュールは、さらに、端末にＨ個の参照信号リソース集合を設定し、ｈ番目の参照信号リソース集合にＮh個の参照信号リソースが含まれば、一つの参照信号リソースのすべての送信機会のすべてのポートが１つのビームの参照信号の送信に用いられるときに、端末に参照信号集合のグルーピングの関連情報を送信し、参照信号リソース集合の設定情報を通知することにより、参照信号集合グルーピングの設定情報を通知し、または、端末にＦ個の参照信号リソース集合を設定し、ｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、端末に参照信号集合のグルーピングの関連情報を送信し、参照信号リソース集合設定情報およびアンテナポートを通知することにより、参照信号集合グルーピングの設定情報を通知する。
【００３０】
実施において、報告受信モジュールは、さらに、端末によって報告された前記ダウンリンク送信ビームの組み合わせを受信するときに、受信したのは、端末によって選択されたＱ個の参照信号の識別情報および各参照信号の所属の参照信号グループ関連情報である。
【００３１】
実施において、ビーム決定モジュールは、さらに、端末によって送信された参照信号のグルーピング情報を受信するときに、基地局は、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせである。
【００３２】
実施において、報告受信モジュールは、さらに、端末によって報告された参照信号グループの全体的な受信品質を受信する。
【００３３】
第４の態様によれば、本発明の実施形態による送信ビーム情報をフィードバックする装置は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、基地局が端末に送信した参照信号集合のグルーピングの関連情報を受信するための、受信モジュールと、受信品質に従って受信した参照信号からＱ個の参照信号を選択し、各参照信号の受信ビームを決定するための決定モジュールと、参照信号集合のグルーピングの関連情報に従って、前記ダウンリンク送信ビームの組み合わせを選択して基地局に報告するための、報告モジュールとを備える。
【００３４】
実施において、決定モジュールは、さらに、各参照信号の受信ビームを決定する場合、端末に合計でＮＲＵＥ個の受信ビームを有し、受信ビームごとに１グループのビームフォーミング重みに対応し、一つの参照信号については、各受信ビームをそれぞれ使用して前記一つの参照信号を受信し、受信信号電力最大の受信ビームを前記参照信号の受信ビームとして選択する。
【００３５】
実施において、前記ダウンリンク送信ビームの組み合わせ内の異なるビームの参照信号は、異なる参照信号集合に属する。
【００３６】
実施において、報告モジュールは、さらに、前記ダウンリンク送信ビームの組み合わせを選択する場合、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせである。
【００３７】
実施において、報告モジュールは、さらに、前記ダウンリンク送信ビームの組み合わせを選択して基地局に報告するときに、報告したのは、端末によって選択されたＱ個の参照信号の識別情報および各参照信号の所属の参照信号グループ関連情報である。
【００３８】
実施において、報告モジュールは、さらに、基地局に参照信号グループの全体的な受信品質を報告する。
【００３９】
第５の態様によれば、基地局は、プロセッサと、送受信機と、メモリとを備え、前記送受信機は、前記プロセッサの制御下でデータを送受信するように構成され、前記プロセッサは、前記メモリ内のプログラムを読み取り、上記第１の態様のいずれか１つの前記方法を実行する。
【００４０】
第６の態様によれば、端末は、プロセッサと、送受信機と、メモリとを備え、前記送受信機は、前記プロセッサの制御下でデータを送受信するように構成され、前記プロセッサは、前記メモリ内のプログラムを読み取り、上記第２の態様のいずれか１つの前記方法を実行する法。
【００４１】
第７の態様によれば、第１の態様のいずれかの方法をコンピュータに実行させるように構成されたコンピュータ実行可能命令を格納するコンピュータ可読記憶媒体を提供する。
第８の態様によれば、第２の態様のいずれかの方法をコンピュータに実行させるように構成されたコンピュータ実行可能命令を格納するコンピュータ可読記憶媒体を提供する。
【発明の効果】
【００４２】
本発明の実施形態による技術的解決策では、基地局側で、基地局は、ダウンリンク送信ビームを使用して、端末に参照信号を送信し、また、基地局は、端末に参照信号集合のグルーピングの関連情報を送信し、これに対し、端末側で、参照信号および参照信号集合のグルーピングの関連情報に従て、基地局に同時に使用するように推奨されるダウンリンク送信ビームの組み合わせを選択し、ダウンリンク送信ビームの組み合わせを基地局に報告する局。
【００４３】
ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とするため、参照信号集合を設定することにより、端末はどのダウンリンクビームを同時に使用できるかを正確に判断でき、端末および基地局はより正確な的ビーム組み合わせ情報を取得してマルチビーム送信をサポートできる。
【図面の簡単な説明】
【００４４】
本発明に係る実施例や従来の技術方法案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】背景技術における中間周波数信号の重み付けフォーミングのアナログビームフォーミングの概略図である。
【図２】背景技術における無線周波数信号の重み付けフォーミングのアナログビームフォーミングの概略図である。
【図３】背景技術におけるハイブリッドデジタルアナログビームフォーミングの概略図である。
【図４】本発明の実施形態による基地局側送信ビーム情報を取得する方法の概略フローチャートである。
【図５】本発明の実施形態による端末側送信ビーム情報をフィードバックする方法の概略フローチャートである。
【図６】本発明の実施形態による基地局ビームグループの第１の例の概略図である。
【図７】本発明の実施形態による基地局ビームグループの第２の例の概略図である。
【図８】本発明の実施形態による周期性参照信号リソース設定の概略図である。
【図９】本発明の実施形態による非周期性参照信号リソース設定の概略図である。
【図１０】本発明の実施形態による参照信号設定の第１の例の概略図である。
【図１１】本発明の実施形態による参照信号設定の第２の例の概略図である。
【図１２】本発明の実施形態による参照信号設定の第３の例の概略図である。
【図１３】本発明の実施形態による参照信号設定の第４の例の概略図である。
【図１４】本発明の実施形態による基地局側送信ビーム情報を取得する装置の概略構造図である。
【図１５】本発明の実施形態による端末側送信ビーム情報をフィードバックする装置の概略構造図である。
【図１６】本発明の実施形態による基地局の概略構造図である。
【図１７】本発明の実施形態による端末の概略構造図である。
【発明を実施するための形態】
【００４５】
本発明の実施形態は、端末と基地局がビームの組み合わせ情報がより正確に取得でき、マルチビーム伝送をより適切にサポートできるように、ビーム情報の決定および報告に対処するために、送信ビーム情報を取得する方法と装置、および送信ビーム情報をフィードバックする方法を提供する。本発明の特定の実施について、図面を参照して以下に説明する。
【００４６】
以下の説明では、以下の実施形態の解決策をよりよく理解するため、端末側および基地局側の実施形態をそれぞれ説明し、そして、端末および基地局が互いに協力する実施形態を説明する。そのような記述は、端末と基地局が互いに協力しなければならない、または別々に動作しなければならないことを示唆してはならない。実際、端末と基地局がそれぞれの実施形態で別々に動作する場合、端末側と基地局側の問題にそれぞれ対処することができ、両方法が互いに協力する場合により良い技術的効果を達成できる。図４は、基地局側送信ビーム情報を取得する方法の概略フローチャートである。図に示すように、以下のステップを備える。
【００４７】
ステップ４０１において、基地局は、ダウンリンク送信ビームを使用して、端末に参照信号を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする。
【００４８】
ステップ４０２において、基地局は、端末に参照信号集合のグルーピングの関連情報を送信する。
【００４９】
ステップ４０３において、基地局は、端末によって報告されたダウンリンク送信ビームの組み合わせを受信する。
【００５０】
ステップ４０４において、基地局は、前記ダウンリンク送信ビームの組み合わせに従って、データを端末に送信するためのダウンリンク送信ビームを決定する。
【００５１】
図５は、端末側送信ビーム情報をフィードバックする方法の概略フローチャートである。図に示すように、以下のステップを備える。
【００５２】
ステップ５０１において、端末は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする。
【００５３】
ステップ５０２において、端末は、受信品質に従って受信した参照信号からＱ個の参照信号を選択し、各参照信号の受信ビームを決定し、Ｑは１以上の整数である。
【００５４】
ステップ５０３において、端末は、基地局が端末に送信した参照信号集合のグルーピングの関連情報を受信し、端末は、参照信号集合のグルーピングの関連情報に従って、ダウンリンク送信ビームの組み合わせを選択して基地局に報告する。
【００５５】
基地局と端末が互いに協力する実施について以下に説明する。
【００５６】
基地局側に合計ＮＴＢＳ個の候補ダウンリンク送信ビームがあり、各ダウンリンクビームが１グループのビームフォーミング重みに対応する。ｎ番目のビームの送信ビームフォーミング重みがＷｎ＝［ｗ１ｎ  ｗ２ｎ  …  ｗＫｎ］Ｔであり、ここで、Ｋは、ビームフォーミングのアンテナ素子数であり、基地局のアンテナ素子数よりも少なくすることができ、例えば、１つのダウンリンクビームは、１つのトランシーバに接続されたＫ個のアンテナ素子からのみ送信される。
【００５７】
ステップ４０１の実施について、基地局は、ダウンリンク送信ビームを使用して、端末に参照信号を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする。
【００５８】
具体的に、基地局は、候補ダウンリンク送信ビームをグルーピングし、Ｇ個のビームグループにする。Ｇは１以上の整数である。
【００５９】
グルーピングの１規則として、基地局は、異なるビームグループのダウンリンク送信ビームを使用して端末に信号を同時に送信することができ、すなわち、基地局は、１つの時刻（例えば、１つのＯＦＤＭシンボル内）で異なるビームグループのダウンリンク送信ビームを同時に使用して端末に信号を送信する。
【００６０】
または、グルーピングの別の規則として、基地局は、同じビームグループのダウンリンク送信ビームを同時に使用して端末に信号を送信する。
【００６１】
または、基地局は、候補ダウンリンク送信ビームをグルーピングし、各グループ内のビームをさらにサブグループに分け、各サブグループ内のダウンリンク送信ビームを同時に使用して端末に信号を送信することができる。１グループ内の異なるサブグループを同時に使用して端末に信号を送信することができない。
【００６２】
または、各サブグループ内のダウンリンク送信ビームを同時に使用して端末に信号を送信することができない。１グループ内の異なるサブグループ内のダウンリンク送信ビームを同時に使用して端末に信号を送信することができる。
【００６３】
これに応じて、システムは、グループ（サブグルーを含む）に関する情報をＵＥにシグナリングすることができる。
【００６４】
基地局は、ダウンリンク参照信号を送信する。基地局は、各候補ダウンリンク送信ビームのために一つの参照信号を送信する。例えば、ＮＴＢＳ個のダウンリンク送信ビームに対し、基地局は、ＮＴＢＳ個の参照信号を送信する。当該ＮＴＢＳ個の参照信号は、ＴＤＭ（Ｔｉｍｅ Ｄｉｖｉｓｉｏｎ Ｍｕｌｔｉｐｌｅｘｉｎｇ，時分割多重化）、ＦＤＭ（Ｆｒｅｑｕｅｎｃｙ Ｄｉｖｉｓｉｏｎ Ｍｕｔｉｐｌｅｘｉｎｇ，周波数分割多重化）、ＣＤＭ（Ｃｏｄｅ Ｄｉｖｉｓｉｏｎ Ｍｕｌｔｉｐｌｅｘｉｎｇ，コード分割多重化）モード、またはそれらの組み合わせで使用でき。例えば、ＯＦＤＭベースのシステムにおいて、ＮＴＢＳ個の参照信号はＮＴＢＳ個のＯＦＤＭシンボルを占有す、各参照信号は、１つのＯＦＤＭシンボルを占有し、参照信号はＴＤＭモードである。あるいは、複数のビームの参照信号は、ＦＤＭまたはＣＤＭモードで使用されるＯＦＤＭシンボルで送信できる。
【００６５】
各ビームの参照信号は、前記ビームに対応するビームフォーミング重みを使用してフォーミングされた後に送信される。
【００６６】
参照信号は、周期的に送信されるか、または、非周期的に送信される。
【００６７】
ここで説明される一つの参照信号は、１つの送信機会に送信される参照信号を指してもよいし、複数の送信機会に送信される参照信号を指してもよい。
【００６８】
ここで、各参照信号は、１つのダウンリンク送信ビームに対応する。
【００６９】
実施において、基地局が異なるビームグループのダウンリンク送信ビームを使用して端末に参照信号を同時に送信する場合、同じＴＲＰからのダウンリンク送信ビームが１つのビームグループであり、同じトランシーバから送信されるダウンリンク送信ビームが１つのビームグループである。
【００７０】
ダウンリンク送信ビームは、特に次のようにグルーピングすることができる。
【００７１】
Ａ）図６は基地局ビームグループの第１の例の概略図である。１つの基地局に複数のＴＲＰ（Ｔｒａｎｓｍｉｓｓｉｏｎ／Ｒｅｃｅｐｔｉｏｎ Ｐｏｉｎt，送受信ポイント）が含まれている場合、同じＴＲＰからのダウンリンク送信ビームを１グループとする。図６に示すように、ＴＲＰ １とＴＲＰ ２の２つのＴＲＰがあるため、ＴＲＰ １から送信されるビームをグループ１とし、ＴＲＰ ２から送信されるビームをグループ２とする。
【００７２】
Ｂ）図７は基地局ビームグループの第２の例の概略図である。１つの基地局の１つのＴＲＰのアンテナアレイに複数のトランシーバ（例えば、複数のパネル（ｐａｎｅｌ））があれば、同じトランシーバから送信されるダウンリンク送信ビームを１グループにすることができる。図７に示すように、２つのアンテナパネルを持つＴＲＰがあるため、パネル１から送信されるビームをグループ１とし、パネル２から送信されるビームをグループ２とする。
【００７３】
基地局は、１つのビームグループ内の複数のビームを同時に使用して端末に信号を送信する可能性もあることを留意されたい。
【００７４】
実施において、一つの参照信号は、１つの送信機会に送信される参照信号であるか、または、複数の送信機会に送信される参照信号である。
【００７５】
具体的に、ここの一つの参照信号は、１つの送信機会に送信される参照信号を指してもよいし、複数の送信機会に送信される参照信号を指してもよい。
【００７６】
実施において、基地局は、ダウンリンク送信ビームを使用して、端末に参照信号を送信し、基地局は、ダウンリンク送信ビームごとに１つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信する。
【００７７】
一つの参照信号リソースは、いくつかの時間周波数リソースを含む。，例えば、１つのＯＦＤＭシンボル内のいくつかのＲＥ（Ｒｅｓｏｕｒｃｅ Ｅｌｅｍｅｎｔ，リソース要素）を含む。参照信号リソースは、時間領域で周期で繰り返し発生する可能性があり、例えば、特定の周期で繰り返し発生する。１つのの周期で繰り返し発生する。時間領域での参照信号リソースの発生は送信機会と呼ばれる。
【００７８】
図８は周期性参照信号リソース設定の概略図である。図８に示すように、基地局が端末に２個の参照信号リソースを設定し、各参照信号リソースは周期で繰り返し発生する。１つの周期内で、各参照信号リソースは、４回発生し、すなわち、各周期には４つの送信機会がある。
【００７９】
図９は非周期性参照信号リソース設定の概略図である。図８に示すように、基地局は端末に２個の非周期性参照信号リソースである参照信号リソースを設定する。参照信号リソースは、非周期的なトリガーシグナリングによりトリガーされる。図９に示す例では、毎回トリガーされた後、参照信号リソースは、４回発生し、すなわち、当該参照信号リソースの４つの送信機会が毎回トリガーされる。
【００８０】
具体的な実施において、参照信号は、以下のようにマッピングおよび送信され得る。
【００８１】
Ａ）ダウンリンク送信ビームの参照信号を、参照信号リソースのすべての送信機会のすべてのポートにマッピングして送信する。
【００８２】
具体的に、１つのビームの参照信号を一つの参照信号リソース（例えば、ＣＳＩ−ＲＳ（ｃｈａｎｎｅｌ ｓｔａｔｅ ｉｎｆｏｒｍａｔｉｏｎ ｒｅｆｅｒｅｎｃｅ ｓｉｇｎａｌ，チャネル状態情報参照信号）リソース）のすべての送信機会のすべてのポートにマッピングして送信する。即ち、参照信号リソースで送信される参照信号は、同じビームで送信される。
【００８３】
Ｂ）だウンリンク送信ビームの参照信号を、参照信号リソースの少なくとも１つの送信機会のすべてのポートにマッピングして送信する。
【００８４】
具体的に、１つのビームの参照信号を一つの参照信号リソース（例えば、ＣＳＩ−ＲＳ理祖ース）のいくつかの（１つてもよい）送信機会のすべてのポートにマッピングして送信する。一つの参照信号リソースの異なる送信機会で異なるビームの参照信号を送信することができる。
【００８５】
Ｃ）ダウンリンク送信ビームの参照信号を、参照信号リソースの少なくとも１つの送信機会の少なくとも１つのポートにマッピングして送信する。
【００８６】
具体的に、１つのビームの参照信号を一つの参照信号リソース（例えば、CSI-RSリソース）のいくつかの（１つてもよい）送信機会のいくつかの（１つてもよい）ポートマッピングして送信する。一つの参照信号リソースの１つの送信機会の異なるポートは、異なるビームの参照信号を送信することができる。
【００８７】
基地局は、ダウンリンク参照信号をＧ個の参照信号集合に分ける。グルーピングの規則としては、参照信号を送信するためのダウンリンク送信ビームについて、同じビームグループ内のダウンリンク送信ビームを使用して送信された参照信号を１つの集合にする。
【００８８】
この場合、ステップ４０２について、基地局は、以下のように、端末に参照信号集合のグルーピングの関連情報を送信する。
【００８９】
Ａ）基地局が端末のためにＨ個の参照信号リソース集合を設定し、ｈ番目の参照信号リソース集合にＮｈ個の参照信号リソースが含まれば、一つの参照信号リソースのすべての送信機会のすべてのポートが１つのビームの参照信号の送信に用いられるときに、基地局は、参照信号リソース集合の設定情報を通知することにより、端末に、参照信号集合グルーピングの設定情報を通知する。ここで、Ｈ及びｈは両方とも１以上の整数であり、ｈ＜＝Ｈである。
【００９０】
具体的に、基地局は、端にＨ個の参照信号リソース集合を設定する。ｈ番目の参照信号リソース集合にＮｈ個の参照信号リソースが含まれる。一つの参照信号リソースのすべての送信機会のすべてのポートは、１つのビームの参照信号の送信に用いられる。このとき、基地局は、参照信号リソース集合の設定情報を通知することにより、参照信号集合の設定情報を通知する。
【００９１】
Ｂ）基地局端末にＦ個の参照信号リソース集合を設定し、ｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、基地局は、参照信号リソース集合設定情報およびアンテナポートを通知することにより、端末に参照信号集合グルーピングの設定情報を通知する。ここで、Ｆおよびｆは１以上の整数であり、ｆ＜＝Ｆである。
【００９２】
具体的に、基地局は端末にＦ個の参照信号リソース集合を設定する。ｆ番目の参照信号リソース集合にＮｆ個の参照信号リソースが含まれる。一つの参照信号リソースにＮｐ個のアンテナポートがあり、各参照信号リソースの１個のアンテナポートは、１つのビームの参照信号の送信に用いられる。このとき、基地局は、参照信号リソース集合設定情報およびアンテナポートを通知することにより、参照信号集合の設定情報を通知する。
【００９３】
これに応じし、端末側のステップ５０１の実行において、端末は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする。
【００９４】
ステップ５０２の実行について、端末は、受信品質に従って受信した参照信号からＱ個の参照信号を選択し、具体的に、端末は、基地局によって送信された参照信号を受信し、ＮＴＢＳ個の参照信号からＱ個の参照信号を選択する。
【００９５】
端末は、基地局によって送信された参照信号を受信し、参照信号に対する測定により、ＮＴＢＳ個の参照信号の受信品質を決定し、各参照信号の受信ビームを決定して受信する。
【００９６】
参照信号の受信品質は、ＲＳＲＰ（ｒｅｆｅｒｅｎｃｅ Ｓｉｇｎａｌ Ｒｅｃｅｉｖｅｄ Ｐｏｗｅｒ，参照信号受信電力）により示されることができ、また、たのパラメータによって示されてもよい。端末は、参照信号の受信品質に従って参照信号を選択する。例えば、受信品質が最高のＱ個の参照信号を選択するか、または、所定の閾値を上回るＱ個の参照信号を選択する。
【００９７】
端末に合計でＮＲＵＥ個の受信ビームがあり、受信ビームごとに１グループのビームフォーミング重みに対応する場合、ステップ５０２の実行について、各参照信号の受信ビームを決定する場合、一つの参照信号については、端末は、各受信ビームを使用して受信するように試行し、受信信号電力最大の受信ビームを前記参照信号の受信ビームとして選択する。
【００９８】
具体的に、一つの参照信号について、端末は、前記参照信号の受信ビームを受信することを決定する。
【００９９】
端末の受信ビームは、候補受信ビームから選出されることができる。に合計でＮＲＵＥ個の受信ビームがあり、受信ビームごとに１グループのビームフォーミング重みに対応し、ｎ番目のビームの受信ビームフォーミング重みがＶｎ＝［ｖ１ｎ  ｖ２ｎ  …  ｖＬｎ］Ｔであり、ここで、Lはビームフォーミングのアンテナ素子数であり、端末のアンテナ素子数より小さくしてもよい。例えば、L個のアンテナ素子が受信した信号は、ビームフォーミング重みつけられて、結合された後に１つのトランシーバに送信される。
【０１００】
一つの参照信号については、端末は、各受信ビームをそれぞれ使用して前記一つの参照信号を受信し、受信信号電力最大の受信ビームを前記参照信号の受信ビームとして選択する。
【０１０１】
ステップ５０３の実行について、端末は、参照信号集合のグルーピングの関連情報に従って、ダウンリンク送信ビームの組み合わせを選択し、当該組み合わせは、端末が、基地局に推奨した、同時に使用できるダウンリンク送信ビームの組み合わせである。
【０１０２】
具体的に、端末は、参照信号集合情報に従って、基地局に推奨した、同時に使用できるダウンリンク送信ビームの組み合わせ（参照信号によって示される）を選択して、参照信号グループを決定する。
【０１０３】
端末が同時に使用できるダウンリンク送信ビームの組み合わせを推奨することは、端末が同時に受信できる意図を意味する。ここで、参照信号集合は、基地局側によって、参照信号をグルーピングして得られたものである。参照信号グループは、端末側が測定結果に基づいて、参照信号をグルーピングして得られたものである
端末のトランシーバをＲグループ（Ｒは１以上の整数である）に分け、各グループに、少なくとも１つのトランシーバがあり、各グループ内のトランシーバが複数のアンテナ素子に接続される。異なるトランシーバグループ内のトランシーバは、受信した信号に対して個別にビームフォーミングを実行し、後続の計算のためにベースバンド処理ユニットに送信できる。
【０１０４】
端末は、Ｒ個のトランシーバグループを利用して、少なくとも異なる方向からのＲ個のビームを受信する。よって、端末が推奨した１つのダウンリンク送信ビームの組み合わせにＲこのダウンリンク送信ビームがあるか、Ｒより少ないか、または、Ｒより多い。
【０１０５】
ステップ５０３の実行について、前記ダウンリンク送信ビームの組み合わせ内の異なるビームの参照信号は、異なる参照信号集合に属する。
【０１０６】
具体的に、端末が推奨した同時に使用できるダウンリンク送信ビームの組み合わせないの異なるビームの参照信号は、異なる参照信号集合に属する。
【０１０７】
ステップ５０３の実行について、前記ダウンリンク送信ビームの組み合わせを選択する場合、すなわち、以下のいずれの方式で、端末は、参照信号グループを決定する。
【０１０８】
方式１： Ｑ個の（Ｑは１以上の整数である）参照信号のうち、同じ参照信号集合に属する参照信号を選択して一つの参照信号グループとする。異なる参照信号グループ内の参照信号に対応するダウンリンク送信ビームより構成されたダウンリンク送信ビームの組み合わせは、前記ダウンリンク送信ビームの組み合わせである。
【０１０９】
具体的に、Ｑ個の参照信号のうちの、同じ参照信号集合の参照信号が一つの参照信号グループに属する。このとき、異なる参照信号グループ内の参照信号に対応するダウンリンク送信ビームは同時に使用することができる。
【０１１０】
図１０は参照信号設定の第１の例の概略図である。図１０に示すように、基地局によって送信された参照信号は、４個の参照信号集合に属する。端末は、参照信号を選択して、２つの参照信号グループに分ける。ここで、参照信号グループ１の参照信号は、参照信号集合１に属し、参照信号グループ２の照信号は参照信号集合３に属する。
【０１１１】
方式２：一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせである。
【０１１２】
具体的に、Ｑ個の参照信号のうち、複数の参照信号集合に属する参照信号を一つの参照信号グループとする。このとき、異なる参照信号グループ内の参照信号に対応するダウンリンク送信ビームは同時に使用することができる。
【０１１３】
方式１および方式において、異なる参照信号グループに属するいずれかの２つの参照信号は、異なる参照信号集合に属する。
【０１１４】
図１１は参照信号設定の第２の例の概略図である。図１１に示すように、基地局によって送信された参照信号は、４個の参照信号集合に属する。端末は、参照信号を選択して、２つの参照信号グループに分ける。ここで、参照信号グループ１の参照信号は参照信号集合１および参照信号集合２に属し、参照信号グループ２の照信号は参照信号集合３および参照信号集合４に属する。
【０１１５】
方式３：一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせである。
【０１１６】
具体的に、端末は、Ｑ個の参照信号のうち、異なる参照信号集合に属する参照信号を一つの参照信号グループとして選択する。参照信号の同じグループの参照信号のうちの、いずれかの２つが同じ参照信号集合に属しない。このとき、参照信号の同じグループ内の参照信号に対応するダウンリンク送信ビームは同時に使用することができる。
【０１１７】
図１２は参照信号設定の第３の例の概略図である。図１２に示すように、基地局によって送信された参照信号は、４個の参照信号集合に属する。端末に２個のトランシーバグループがある。端末は、参照信号を選択して４つの参照信号グループに分ける。参照信号グループ１の参照信号は、参照信号集合１の１つ、および参照信号集合２の１つ（ＲＳ１，ＲＳ６）を含む。参照信号グループ２の参照信号は、参照信号集合１の１つ、および参照信号集合２の１つ（ＲＳ２，ＲＳ７）を含む。参照信号グループ３の参照信号は、参照信号集合３の１つ、および参照信号集合４の１つ（ＲＳ９，ＲＳ１４）を含む。参照信号グループ４の参照信号は、参照信号集合３の１つ、および参照信号集合の１つ（ＲＳ１１，ＲＳ１６）を含む。
【０１１８】
図１３は参照信号設定の第４の例の概略図である。図１３に示すように、基地局によって送信された参照信号は、４個の参照信号集合に属する。端末に２つのトランシーバグループがある。端末は、参照信号を選択して、２つの参照信号グループに分ける。ここで、参照信号グループ１の参照信号は、参照信号集合１、参照信号集合２および参照信号集合３それぞれから１つずつ（ＲＳ１，ＲＳ６，ＲＳ１０）を選択した信号である。参照信号グループ２の参照信号は、参照信号集合１、参照信号集合２および参照信号集合４それぞれから１つずつ（ＲＳ２，ＲＳ７，ＲＳ１４）を選択した信号である。
【０１１９】
具体的な実施において、上記３つの方式のうちの１つが選択され、基地局によって端末に通知されるか、または端末によって選択される。端末によって選択される場合、端末によって報告された情報にグルーピング方式の指示情報がさらに含まれる。基地局によって選択される場合、基地局は、端末にグルーピング方式の指示情報を送信することができる。
【０１２０】
ステップ５０３の実行について、前記ダウンリンク送信ビームの組み合わせを選択して基地局に報告するときに、報告したのは、端末によって選択されたＱ個の参照信号の識別情報および各参照信号の所属の参照信号グループ関連情報である。
【０１２１】
実施の際に、具体的に、端末は、選択されたＱ個の参照信号の識別情報、および各参照信号の所属の参照信号グループ関連情報を報告する。参照信号の識別情は、リソースインデックス、シーケンスインデックス、時間インデックス、ポートインデックス、またはそれらの組み合わせである。
【０１２２】
各参照信号について、報告される情報は、以下のトリプレットの形式であり得る。
【０１２３】
{参照信号識別子、参照信号受信品質、参照信号グループ識別子}
ここで、参照信号識別子は、基地局によって送信されたＮＴＢＳ個の参照信号範囲内の、端末によって選択された参照信号の識別子、例えばシリアル番号であり得る。参照信号受信品質は、ＲＳＲＰ、または別のインデックスにすることができる。参照信号グループ識別子は、端末が参照信号をグルーピングした後、例えば、Ｌグループに分け、Ｌこの参照信号グループは、それぞれ１, ２, …, Ｌとして識別できるため、報告される情報には選択された参照信号の所属の参照信号グループの識別子が含むことができる。
【０１２４】
一つの参照信号は同時に複数の異なる参照信号グループに属することができ、異なる参照信号グループに属する参照信号の受信品質が異なる可能性があることに留意されたい。
【０１２５】
したがって、情報が報告された後、ステップ４０３の実施において、基地局が、端末によって報告された前記ダウンリンク送信ビームの組み合わせを受信する場合、受信したのは、端末によって選択されたＱ個の参照信号の識別情報および各参照信号の所属の参照信号グループ関連情報である。
【０１２６】
実施において、さらに、端末は、基地局に参照信号グループの全体的な受信品質を報告する。
【０１２７】
これに応じて、基地局側では、さらに、基地局は、端末によって報告された参照信号グループの全体的な受信品質を受信する。
【０１２８】
具体的な実施において、端末は、さらに、一つの参照信号グループの全体的な受信品質を報告する。例えば、当該参照信号グループのすべての参照信号受信品質の平均、または、当該参照信号グループのすべての参照信号に対応するビームから端末へのデータ送信の予測スループット、予測チャネル容量などを報告できる。
【０１２９】
したがって、情報が報告された後、ステップ４０４の実施において、基地局が、端末によって送信された参照信号のグルーピング情報を受信すれば、基地局は、前記ダウンリンク送信ビームの組み合わせに従って、以下のようにデータを端末に送信するためのダウンリンク送信ビームを決定する。
【０１３０】
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせである。
【０１３１】
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせである。
【０１３２】
具体的に、基地局は、端末によって報告されたＱ個の参照信号の識別情報、各参照信号の所属の参照信号グループ関連情報を受信する。
【０１３３】
受信した情報に従って、基地局は、端末にデータを送信するための、同時に使用できるダウンリンク送信ビームを決定する。ステップ５０３の方式に従って、以下とおりに行う。
【０１３４】
１、２つの参照信号が参照信号の同じグループに属する場合、これら２つの参照信号のダウンリンク送信ビームは同時に使用できる。
【０１３５】
２、２つの参照信号が参照信号の異なるグループに属する場合、これら２つの参照信号のダウンリンク送信ビームは同時に使用できる。
【０１３６】
基地局は、それに応じて対応する送信方式を選択することができ、たとえば、基地局は、空間分割多重モードで複数のダウンリンク送信ビームを使用して複数の並列データストリームを同時に送信するか、空間分割多重モードで複数のダウンリンク送信ビームを使用して１つのデータストリームを同時に送信することができる。
【０１３７】
同じ発明思想に基づいて、本発明の実施形態は、送信ビーム情報を取得する装置、送信ビーム情報をフィードバックする装置を提供する。これらの装置は、送信ビーム情報を取得する方法、送信ビーム情報をフィードバックすると同様の原理の下で問題に対処するため、これらの装置の実装方法の実施形態を参照することができ、その繰り返しの説明はここでは省略する。
【０１３８】
図１４は基地局側送信ビーム情報を取得する装置の概略構成図である。図に示すように、前記装置は、
ダウンリンク送信ビームを使用して端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末に参照信号集合のグルーピングの関連情報を送信するための、参照信号送信モジュール１４０１と、
端末によって報告されたダウンリンク送信ビームの組み合わせを受信するための、報告受信モジュール１４０２と、
前記ダウンリンク送信ビームの組み合わせに従って、データを端末に送信するためのダウンリンク送信ビームを決定するためのビーム決定モジュール１４０３とを備える。
【０１３９】
実施において、参照信号送信モジュールは、さらに、異なるビームグループのダウンリンク送信ビームを使用して端末に参照信号を同時に送信する場合、
同じＴＲＰからのダウンリンク送信ビームが１つのビームグループであり、または、
同じトランシーバから送信されるダウンリンク送信ビームが１つのビームグループである。
【０１４０】
実施において、参照信号送信モジュールは、ダウンリンク送信ビームごとに一つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信する。
【０１４１】
実施において、参照信号送信モジュールは、さらに、端末にＨ個の参照信号リソース集合を設定し、ｈ番目の参照信号リソース集合にＮｈ個の参照信号リソースが含まれば、一つの参照信号リソースのすべての送信機会のすべてのポートが１つのビームの参照信号の送信に用いられるときに、端末に参照信号集合のグルーピングの関連情報を送信し、参照信号リソース集合の設定情報を通知することにより、参照信号集合グルーピングの設定情報を通知し、または、
端末にＦ個の参照信号リソース集合を設定し、ｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、端末に参照信号集合のグルーピングの関連情報を送信し、参照信号リソース集合設定情報およびアンテナポートを通知することにより、参照信号集合グルーピングの設定情報を通知する。
【０１４２】
実施において、報告受信モジュールは、さらに、端末によって報告された前記ダウンリンク送信ビームの組み合わせを受信するときに、受信したのは、端末によって選択されたＱ個の参照信号の識別情報および各参照信号の所属の参照信号グループ関連情報である。
【０１４３】
実施において、ビーム決定モジュールは、さらに、端末によって送信された参照信号のグルーピング情報を受信するときに、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせである。
【０１４４】
実施において、報告受信モジュールは、さらに、端末によって報告された参照信号グループの全体的な受信品質を受信する。
【０１４５】
図１５は端末側送信ビーム情報をフィードバックする装置の概略構成図である。図に示すように、当該装置は、
基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、基地局から端末に送信した参照信号集合のグルーピングの関連情報を受信するための、受信モジュール１５０１と、
受信品質に従って受信した参照信号からＱ個の参照信号を選択し、各参照信号の受信ビームを決定するための、決定モジュール１５０２と、
参照信号集合のグルーピングの関連情報に従って、ダウンリンク送信ビームの組み合わせを選択して基地局に報告するための、報告モジュール１５０３とを備える。
【０１４６】
実施において、決定モジュールは、さらに、各参照信号の受信ビームを決定する場合、端末に合計でＮＲＵＥ個の受信ビームがあり、受信ビームごとに１グループのビームフォーミング重みに対応し、一つの参照信号については、各受信ビームをそれぞれ使用して前記一つの参照信号を受信し、受信信号電力最大の受信ビームを前記参照信号の受信ビームとして選択する。
【０１４７】
実施において、前記ダウンリンク送信ビームの組み合わせ内の異なるビームの参照信号は、異なる参照信号集合に属する。
【０１４８】
実施において、報告モジュールは、さらに、前記ダウンリンク送信ビームの組み合わせを選択する場合、一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせである。
【０１４９】
実施において、報告モジュールは、さらに、前記ダウンリンク送信ビームの組み合わせを選択して基地局に報告するときに、報告したのは、端末によって選択されたＱ個の参照信号の識別情報および各参照信号の所属の参照信号グループ関連情報である。
【０１５０】
実施において、報告モジュールは、さらに、基地局に参照信号グループの全体的な受信品質を報告する。
【０１５１】
説明の便宜を図るために、上記の装置のそれぞれの構成要素は、それぞれのモジュールまたはユニットとしてそれぞれ機能的に説明されている。もちろん、それぞれのモジュールまたはユニットの機能は、本発明の実施において、同じ１つまたは複数のソフトウェアまたはハードウェアで実行することができる。
【０１５２】
本発明の実施形態による技術的解決策は、以下のように具現化することができる。
【０１５３】
図１６は、基地局の概略構成図である。図に示すように、基地局は、メモリ１６２０内のプログラムを読み取って実行するように構成されるプロセッサ１６００と、
プロセッサ１６００の制御下でデータを送受信して、実行するように構成される送受信機１６１０とを備える。
【０１５４】
前記プロセッサ１６００は、前記ダウンリンク送信ビームの組み合わせに従って、データを端末に送信するためのダウンリンク送信ビームを決定する。
【０１５５】
前記送受信機１６１０は、ダウンリンク送信ビームを使用して端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末に参照信号集合のグルーピングの関連情報を送信し、端末によって報告された前記ダウンリンク送信ビームの組み合わせを受信する。
【０１５６】
実施において、基地局が異なるビームグループのダウンリンク送信ビームを使用して端末に参照信号を同時に送信する場合、同じＴＲＰからのダウンリンク送信ビームが１つのビームグループであり、または、同じトランシーバから送信されるダウンリンク送信ビームが１つのビームグループである。
【０１５７】
実施において、基地局は、ダウンリンク送信ビームごとに１つの参照信号を送信する場合、ダウンリンク送信ビームの参照信号を、参照信号リソースのすべての送信機会のすべてのポートにマッピングして送信するか、または、ダウンリンク送信ビームの参照信号を、参照信号リソースの少なくとも１つの送信機会のすべてのポートにマッピングして送信するか、または、ダウンリンク送信ビームの参照信号を、参照信号リソースの少なくとも１つの送信機会の少なくとも１つのポートにマッピングして送信する。
【０１５８】
実施において、基地局が端末のためにＨ個の参照信号リソース集合を設定し、ｈ番目の参照信号リソース集合にＮｈ個の参照信号リソースが含まれば、一つの参照信号リソースのすべての送信機会のすべてのポートが１つのビームの参照信号の送信に用いられるときに、基地局は、端末に参照信号集合のグルーピングの関連情報を送信し、参照信号リソース集合の設定情報を通知することにより、参照信号集合グルーピングの設定情報を通知し、または、基地局端末にＦ個の参照信号リソース集合を設定し、ｆ番目の参照信号リソース集合にＮｆ個の参照信号リソースが含まれば、一つの参照信号リソースにＮｐ個のアンテナポートがあり、各参照信号リソースの１個のアンテナポートが１つのビームの参照信号の送信に用いられるときに、基地局は、端末に参照信号集合のグルーピングの関連情報を送信し、参照信号リソース集合設定情報およびアンテナポートを通知することにより、参照信号集合グルーピングの設定情報を通知する。
【０１５９】
実施において、基地局が、端末によって報告された前記ダウンリンク送信ビームの組み合わせを受信する場合、受信したのは、端末によって選択されたＱ個の参照信号の識別情報および各参照信号の所属の参照信号グループ関連情報である。
【０１６０】
実施において、さらに、基地局が、端末によって送信された参照信号のグルーピング情報を受信すれば、基地局は、以下通りに、前記ダウンリンク送信ビームの組み合わせに従って、データを端末に送信するためのダウンリンク送信ビームを決定する。
【０１６１】
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせである。
【０１６２】
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせである。
【０１６３】
実施において、さらに、端末によって報告された参照信号グループの全体的な受信品質を受信する。
【０１６４】
ここで、図１６において、バスアーキテクチャは、いずれ数の相互接続するバス及びブリッジを備える。具体的に、プロセッサ１６００が代表となる１つまたは複数のプロセッサ及びメモリ１６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェイス１６３０はインターフェイスを提供する。送受信機１６１０は、複数の部品であることができ、すなわち、ち、送信機及び受信機を備え、伝送媒体を介して他の装置と通信するユニットを提供する。プロセッサ１６００は、バズアーキテクチャの管理及び通常の処理を担当し、メモリ１６２０はプロセッサ１６００が動作する際に利用するデータを記憶することができる。。
【０１６５】
図１７は端末の概略構成図である。図に示すように、端末は、メモリ１７２０内のプログラムを読み取って実行するように構成されるプロセッサ１７００と、
プロセッサ１７００の制御下でデータを送受信して実行するように構成される送受信機１７１０と、を備える。
【０１６６】
前記プロセッサ１７００は、受信品質に従って受信した参照信号からＱ個の参照信号を選択し、各参照信号の受信ビームを決定し、；参照信号集合のグルーピングの関連情報に従って、前記ダウンリンク送信ビームの組み合わせを選択する。
【０１６７】
送受信機１７１０は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、
基地局から端末に送信した参照信号集合のグルーピングの関連情報を受信し、；基地局にダウンリンク送信ビームの組み合わせを報告する。
【０１６８】
実施において、各参照信号の受信ビームを決定する場合、端末に合計でＮＲＵＥ個の受信ビームがあり、受信ビームごとに１グループのビームフォーミング重みに対応し、一つの参照信号については、端末は、受信ビームをそれぞれ使用して前記１つの参照信号受信し、受信信号電力最大の受信ビームを前記参照信号の受信ビームとして選択する。
【０１６９】
実施において、前記ダウンリンク送信ビームの組み合わせ内の異なるビームの参照信号は、異なる参照信号集合に属する。
【０１７０】
実施において、前記ダウンリンク送信ビームの組み合わせを選択する場合、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせである。
【０１７１】
実施において、前記ダウンリンク送信ビームの組み合わせを選択して基地局に報告するときに、報告したのは、端末によって選択されたＱ個の参照信号の識別情報および各参照信号の所属の参照信号グループ関連情報である。
【０１７２】
実施において、さらに、基地局に参照信号グループの全体的な受信品質を報告する。
【０１７３】
ここで、図１７において、バスアーキテクチャは、いずれ数の相互接続するバス及びブリッジを備える。具体的に、プロセッサ１７００が代表となる１つまたは複数のプロセッサ及びメモリ１７２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェイス１７４０はインターフェイスを提供する。送受信機１７１０は、伝送媒体を介して様々な他のデバイスと通信するためのユニットであるいくつかの要素、例えば送信機および受信機であり得る。異なるユーザー機器の場合、ユーザーインターフェース１７３０は、デバイスが必要に応じて内部および外部で接続されるインターフェースでもあり、接続されたデバイスには、キーパッド、モニター、スピーカー、マイク、ジョイスティックなどが含まれるが、これらに限定されない。
【０１７４】
プロセッサ１７００は、バズアーキテクチャの管理及び通常の処理を担当し、メモリ１７２０はプロセッサ１７００が動作する際に利用するデータを記憶することができる。。
【０１７５】
要するに、本発明の実施形態による解決策によれば、参照信号集合を設定することにより、端末が同時に使用できるダウンリンクビームを正確に判断することができ、端末および基地局はより正確な的ビーム組み合わせ情報を取得してマルチビーム送信をサポートできる。
【０１７６】
本分野の技術者として、本発明の実施形態が、方法、システムまたは、いはコンピュータプログラム製品を提供できるため、本発明は完全なハードウェア実施形態、完全なソフトウェア実施形態、またはソフトウェアとハードウェアの両方法を結合した実施形態を採用できることがかわるはずである。さらに、本発明は、一つまたは、いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１７７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または、いは他のプログラム可能なデータ処理装置設備の処理装置器に提供でき、コンピュータまたは、いは他のプログラム可能なデータ処理装置のプロセッサは、これらのコンピュータプログラム指令を実行し、フロー図における一つまたは、いは複数のフローおよび／またはブロック図における一つまたは、いは複数のブロックに指定する機能を実現する。
【０１７８】
これらのコンピュータプログラム指令は又、コンピュータまたは、いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは、いは複数のフローおよび／またはブロック図における一つまたは、いは複数のブロックに指定する機能を実現する。
【０１７９】
これらコンピュータプログラム指令はさらに、コンピュータまたは、いは他のプログラム可能なデータ処理装置設備に実装もできる。コンピュータプログラム指令が実装されたコンピュータまたは、いは他のプログラム可能設備は、一連の操作ステップを実行することによって、関連の処理を実現し、コンピュータまたは、いは他のプログラム可能な設備において実行される指令によって、フロー図における一つまたは、いは複数のフローおよび／またはブロック図における一つまたは、いは複数のブロックに指定する機能を実現する。
【０１８０】
上述した実施形態に記述された技術的な解決手段を改造し、または、いはその中の一部の技術要素を置換することもできる。そのような、改造と置換は本発明の各実施形態の技術の範囲から逸脱するとは見なされない。
無論、当業者によって、上述した実施形態に記述された技術的な解決手段を改造し、または、いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
2020516189.tif 000003
【図２】
2020516189.tif 000004
【図３】
2020516189.tif 000005
【図４】
2020516189.tif 000006
【図５】
2020516189.tif 000007
【図６】
2020516189.tif 000008
【図７】
2020516189.tif 000009
【図８】
2020516189.tif 000010
【図９】
2020516189.tif 000011
【図１０】
2020516189.tif 000012
【図１１】
2020516189.tif 000013
【図１２】
2020516189.tif 000014
【図１３】
2020516189.tif 000015
【図１４】
2020516189.tif 000016
【図１５】
2020516189.tif 000017
【図１６】
2020516189.tif 000018
【図１７】
2020516189.tif 000019
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
基地局は、ダウンリンク送信ビームを使用して、端末に参照信号を送信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、
基地局は、端末に参照信号集合のグルーピングの関連情報を送信し、
基地局は、端末によって報告されたダウンリンク送信ビームの組み合わせを受信し、
基地局は、前記ダウンリンク送信ビームの組み合わせに従って、データを端末に送信するためのダウンリンク送信ビームを決定することを特徴とする送信ビーム情報を取得する方法。
【請求項２】
基地局が異なるビームグループのダウンリンク送信ビームを使用して端末に参照信号を同時に送信する場合、
同じ送受信ポイント（ＴＲＰ）から送信されるダウンリンク送信ビームが１つのビームグループであり、または、
同じトランシーバから送信されるダウンリンク送信ビームが１つのビームグループであることを特徴とする請求項１に記載の送信ビーム情報を取得する方法。
【請求項３】
前記基地局は、ダウンリンク送信ビームを使用して、端末に参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信することを特徴とする請求項１に記載の送信ビーム情報を取得する方法。
【請求項４】
前記基地局が受信した前記ダウンリンク送信ビームの組み合わせは、端末によって選択されたＱ個の参照信号の識別情報および各参照信号の所属の参照信号グループ関連情報であり、Ｑは１以上の整数であることを特徴とする請求項１に記載の送信ビーム情報を取得する方法。
【請求項５】
前記基地局は、端末によって送信された参照信号のグルーピング情報を受信し、
前記基地局は、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせであることを特徴とする請求項１に記載の送信ビーム情報を取得する方法。
【請求項６】
端末は、基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とする前記受信し、
前記端末は、受信品質に従って受信した参照信号からＱ個の参照信号を選択し、各参照信号の受信ビームを決定し、
前記端末は、前記基地局によって送信された参照信号集合のグルーピングの関連情報を受信し、参照信号集合のグルーピングの関連情報に従って、前記ダウンリンク送信ビームの組み合わせを選択して前記基地局に報告し、
前記Ｑは１以上の整数であることを特徴とする送信ビーム情報をフィードバックする方法。
【請求項７】
前記ダウンリンク送信ビームの組み合わせ内の異なるビームの参照信号は、異なる参照信号集合に属することを特徴とする請求項６に記載の送信ビーム情報をフィードバックする方法。
【請求項８】
前記ダウンリンク送信ビームの組み合わせを選択決定する場合、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせであり、Ｑは１以上の整数であることを特徴とする請求項６に記載の送信ビーム情報をフィードバックする方法。
【請求項９】
前記基地局に報告する場合、
前記端末は、選択したＱ個の参照信号の識別情報および各参照信号の所属の参照信号グループ関連情報を前記基地局に報告し、Ｑは１以上の整数であることを特徴とする請求項６に記載の送信ビーム情報をフィードバックする方法。
【請求項１０】
ダウンリンク送信ビームを使用して端末に参照信号を送信し、ここで、ダウンリンク送信ビームごとに一つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、端末に参照信号集合のグルーピングの関連情報を送信するための、参照信号送信モジュールと、
端末によって報告された前記ダウンリンク送信ビームの組み合わせを受信するための、報告受信モジュールと、
前記ダウンリンク送信ビームの組み合わせに従って、データを端末に送信するためのダウンリンク送信ビームを決定するための、ビーム決定モジュールと、を備えることを特徴とする送信ビーム情報を取得する装置。
【請求項１１】
参照信号送信モジュールは、さらに、異なるビームグループのダウンリンク送信ビームを使用して端末に参照信号を同時に送信する場合、
同じ送受信ポイント（ＴＲＰ）から送信されるダウンリンク送信ビームが１つのビームグループであり、または、
同じトランシーバから送信されるダウンリンク送信ビームが１つのビームグループであることを特徴とする請求項１０に記載の送信ビーム情報を取得する装置。
【請求項１２】
前記参照信号送信モジュールは、さらに、ダウンリンク送信ビームごとに一つの参照信号を送信する場合、
ダウンリンク送信ビームの参照信号を、参照信号リソースのすべての送信機会のすべてのポートにマッピングして送信するか、
ダウンリンク送信ビームの参照信号を、参照信号リソースの少なくとも１つの送信機会のすべてのポートにマッピングして送信するか、
ダウンリンク送信ビームの参照信号を、参照信号リソースの少なくとも１つの送信機会の少なくとも１つのポートにマッピングして送信することを特徴とする請求項１０に記載の送信ビーム情報を取得する装置。
【請求項１３】
前記報告受信モジュールが受信したのは、端末により選択されたＱ個の参照信号の識別情報および各参照信号の所属の参照信号グループ関連情報であり、Ｑは１以上の整数であることを特徴とする請求項１０に記載の送信ビーム情報を取得する装置。
【請求項１４】
前記ビーム決定モジュールは、さらに、端末によって送信された参照信号のグルーピング情報を受信するときに、前記ダウンリンク送信ビームの組み合わせに従って、データを端末に送信するためのダウンリンク送信ビームを決定する場合、
２つの参照信号が参照信号の同じグループに属する場合、これら２つの参照信号的ダウンリンク送信ビームを同時に使用でき、ここで、参照信号の同じグループ内の参照信号に対応するダウンリンク送信ビームにより構成された組み合わせは、前記ダウンリンク送信ビームの組み合わせであり、
２つの参照信号が参照信号の異なるグループに属する場合、これら２つの参照信号的ダウンリンク送信ビームを同時に使用でき、ここで、異なる参照信号グループ内の参照信号に対応するダウンリンク送信ビームにより構成された組み合わせは、前記ダウンリンク送信ビームの組み合わせであることを特徴とする請求項１０に記載の送信ビーム情報を取得する装置。
【請求項１５】
基地局がダウンリンク送信ビームを使用して端末に送信した参照信号を受信し、ここで、基地局は、ダウンリンク送信ビームごとに１つの参照信号を送信し、各ビームの参照信号は、前記ビームに対応するビームフォーミング重みを使用してフォーミングされた後に送信され、同じビームグループ内のダウンリンク送信ビームを使用して送信された参照信号を１つの参照信号集合とし、基地局が端末に送信した参照信号集合のグルーピングの関連情報を受信するための、受信モジュールと、
受信品質に従って受信した参照信号からＱ個の参照信号を選択し、各参照信号の受信ビームを決定し、Ｑは１以上の整数である決定モジュールと、
参照信号集合のグルーピングの関連情報に従って、前記ダウンリンク送信ビームの組み合わせを選択して前記基地局に報告するための、報告モジュールと、を備えることを特徴とする送信ビーム情報をフィードバックする装置。
【請求項１６】
前記ダウンリンク送信ビームの組み合わせ内の異なるビームの参照信号は、異なる参照信号集合に属することを特徴とする請求項１５に記載の送信ビーム情報をフィードバックする装置。
【請求項１７】
前記報告モジュールは、
一つの参照信号グループとして、Ｑ個の参照信号の中から同参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとしてＱ個の参照信号の中から複数の参照信号集合に属する参照信号を選択し、異なる参照信号グループ内の参照信号に対応するダウンリンク送信ビームより構成されたダウンリンク送信ビームの組み合わせは、前記ダウンリンク送信ビームの組み合わせであり、Ｑは１以上の整数であり、または、
一つの参照信号グループとして、Ｑ個の参照信号の中から異なる参照信号集合に属する参照信号を選択し、参照信号の同じグループ内の任意の２つの参照信号は同じ参照信号集合に属さなく、参照信号の同じグループ内の参照信号に対応するダウンリンク送信ビームにより構成された組み合わせは、前記ダウンリンク送信ビームの組み合わせであり、Ｑは１以上の整数であることを特徴とする請求項１５に記載の送信ビーム情報をフィードバックする装置。
【請求項１８】
前記報告モジュールは、
端末によって選択されたＱ個の参照信号の識別情報および各参照信号の所属の参照信号グループ関連情報を前記基地局に報告し、Ｑは１以上の整数であることを特徴とする請求項１５に記載の送信ビーム情報をフィードバックする装置。
【国際調査報告】
2020516189.tif 000020
2020516189.tif 000021
2020516189.tif 000022
2020516189.tif 000023